(57)【要約】【課題】ストロボユニットの上部に従来スピーカを配置していたためにデジカメ本体の高さが高くなってしまった。さらに、スピーカの音圧で金属カバーが振動しビビリ音が発生しスピーカ音質を劣化させてしまっていた。【解決手段】鏡筒、光学ファインダ、ストロボで形成された略三角形のデッドスペースにスピーカ保持部を設けると共にスピーカを縦位置に配置することでスペースの有効活用による大型化の防止とスピーカ保持部に設けられた反響空間で音質の改善がなされた。【選択図】図３
2005311844.tif 000002
【特許請求の範囲】
【請求項１】
固体撮像素子とレンズを含む撮像手段と、光学ファインダと、スピーカと、ストロボユニットとを有する撮像装置において、前記撮像手段と前記光学ファインダと前記ストロボユニットで形成された空間に前記スピーカが配置されていることを特徴とする撮像装置。
【請求項２】
前記スピーカはスピーカ保持ケースに、その開口面を前記レンズの光軸方向と前記レンズのＹ軸方向で作られる平面に略平行に配置されると共に、前記スピーカ開口面と前記スピーカ保持ケースの間には密閉用封止部材が具備されていることを特徴とする請求項１記載の撮像装置。
【請求項３】
前記スピーカ開口面は前記レンズＹ軸に対して撮像装置外装側に位置していることを特徴とする請求項１記載の撮像装置。
【発明の詳細な説明】
【技術分野】
【０００１】
本発明はスピーカを備えたデジタルスチルカメラ（以下、「デジカメ」と呼ぶ）などの撮像装置に関するものである。詳しくは、スピーカの配置に特徴を有する撮像装置に関するものである。
【背景技術】
【０００２】
従来、ストロボユニット上部にスピーカを備えたデジカメがある（特許文献1１参照。）。
【０００３】
このスピーカは参考文献１の図にあるように開口面をカメラ上面と平行に配置され、カメラ上面に形成されたルーバー（通気孔）から音声、警告音、ピント合焦音が発せられる。
【特許文献１】特開２００３−５７７３０号公報（第４頁、図２）
【発明の開示】
【発明が解決しようとする課題】
【０００４】
しかしながら、ストロボユニット上部にスピーカを配置しているためにカメラの高さが高くなってしまっていた。さらには、カメラ上面に前記ルーバーが形成されているために雨などの水滴が直接スピーカ開口部に入ってしまい振動紙の動作不良による音質劣化などの不具合を発生していた。
【０００５】
この不具合を防止するために撥水シートをルーバーと開口部の間に追加したデジカメあるが、そのシート分コストがかかってしまっていた。
【０００６】
また、スピーカ開口部とカメラルーバーが近すぎるためにスピーカからの音圧でカメラカバーが振動してしまい、俗に言うビビリ音が発生し音質を劣化させていた。
【０００７】
また、ルーバーがデジカメ上面で端近傍に位置しているため操作者の持ち方によっては手で覆ってしまいスピーカからの音が満足に聞こえないという不具合もあった。
【０００８】
そこで、本出願に係る第１の発明の目的は本体の高さを高くするなど大きくせずにスピーカを具備した撮像装置を提供することである。第２の発明の目的は撥水シートを追加するなどのコストアップをせずに良好な音質が得られる配置となったスピーカを具備した撮像装置を提供することである。
【０００９】
第３の発明の目的は操作者にルーバーをふさがない持ち方を意識させる必要がない、自由に持っても満足な音が聞こえる撮像装置を提供することである。
【課題を解決するための手段】
【００１０】
このため、本発明においては、下記の各項（１）〜（３）のいずれかに示す撮像装置を提供することにより、前記目的を達成しようとする物である。
【００１１】
（１）固体撮像素子とレンズを含む撮像手段と、光学ファインダと、スピーカと、ストロボユニットとを有する撮像装置において、前記撮像手段と前記光学ファインダと前記ストロボユニットで形成された空間に前記スピーカが配置されていることを特徴とする撮像装置。
【００１２】
（２）前記スピーカはスピーカ保持ケースに、その開口面を前記レンズの光軸方向と前記レンズのＹ軸方向で作られる平面に略平行に配置されると共に、前記スピーカ開口面と前記スピーカ保持ケースの間には密閉用封止部材が具備されていることを特徴とする前記（１）記載の撮像装置。
【００１３】
（３）前記スピーカ開口面は前記レンズＹ軸に対して撮像装置外装側に位置していることを特徴とする前記（１）記載撮像装置。
【発明の効果】
【００１４】
本発明においては、下記の各項（１）〜（３）のいずれかに示す撮像装置を提供することにより、デジカメ本体を大きくすることなく、さらには撥水シートを追加するなどのコストアップをせずに良好な音質が得られる配置となったスピーカを具備した撮像装置を提供することが可能となった。
【００１５】
（１）固体撮像素子とレンズを含む撮像手段と、光学ファインダと、スピーカと、ストロボユニットとを有する撮像装置において、前記撮像手段と前記光学ファインダと前記ストロボユニットで形成された空間に前記スピーカが配置されていることを特徴とする撮像装置。
【００１６】
（２）前記スピーカはスピーカ保持ケースに、その開口面を前記レンズの光軸方向と前記レンズのＹ軸方向で作られる平面に略平行に配置されると共に、前記スピーカ開口面と前記スピーカ保持ケースの間には密閉用封止部材が具備されていることを特徴とする撮像装置。
【００１７】
（３）前記スピーカ開口面は前記レンズＹ軸に対して撮像装置外装側に位置していることを特徴とする撮像装置。
【発明を実施するための最良の形態】
【００１８】
以下本発明を実施するための最良の形態を、実施例により詳しく説明する。
【実施例１】
【００１９】
以下に本発明第１の実施形態について説明する。
【００２０】
図１において、１はデジカメ本体、２は固体撮像素子を内包するレンズ鏡筒、３は非撮影時沈胴しているレンズ鏡筒２を保護するために不図示の手段でデジカメ本体１に開閉自在に具備されたレンズバリア、４は光学ファインダ、５はデジカメが撮影周囲を暗いと判断したときに自動投光しオートフォーカス（ＡＦ）を補助するＡＦ補助光が通過するＡＦ補助光窓、６はストロボユニット発光部であるところのプリズムパネル、７は前記レンズバリア３の閉位置規制部材であるバリアストッパー、８は前記バリアストッパー７に形成されたマイク孔、９はバリアストッパー７に具備されリモコン送信機からの信号を受信するリモコン受信窓、１０はデジカメ本体１の上面に形成され詳細は後述するスピーカからの音声、警告音やピント合焦音を出すためのルーバー、１１はシャッターボタン、１２は撮影モードを切り替えるモードダイヤル、１３は撮影画界をＴＥＬＥ−ＷＩＤＥに切り替えるズームボタン、１４は前記光学ファインダ４の接眼側であるアイピースリング、１５はデジカメ本体１に具備されたＡＶジャック（音声・映像信号出力用）とＵＳＢジャック（ＰＣなどとの通信用）をゴミなどから保護するため弾性部材でできたジャックカバーである。
【００２１】
図１はレンズバリア３が開けられ、レンズ鏡筒２が繰り出された撮影状態となった図であり、操作者は被写体に向けてズームボタン１３で所望の構図を決めシャッターボタン１１を第１レリーズの位置まで押す。ピントが合うとピピッという合焦音がルーバー１０から発せられ、さらに第２レリーズの位置まで押し込むとカシャというシャッター音がルーバー１０から発せられると共に撮影が完了する。動画を撮影したい場合はモードダイヤル１２を回転させ指標１６に動画モードアイコン１２ａを合わせる。次に被写体に向けてズームボタン１３で所望の構図を決めシャッターボタン１１を第１レリーズの位置まで押す。ピントが合うとピピッという合焦音がルーバー１０から発せられ、さらに第２レリーズの位置まで押し込むとピッという音で動画撮影が始まり、マイク孔８から音声も同時録音される。もう一度シャッターボタン１１を押すことで撮影を終了させる。撮影した動画を見たい場合は背面に設けられた不図示のモード切替ボタンを押すことで再生モードとなり、所望の動画を不図示の十字ボタンで選択し、不図示の決定ボタンで動画の再生が始まる。このとき背面の不図示の液晶画面に撮影した動画再生されると共にルーバー１０から録音された音声が再生される。
【００２２】
図２はデジカメ本体の金属カバー全てを外した状態の概略斜視図であり、１７は光学ファインダ４に設けられた補助光保持部、１８はフレキ１８ａに半田付けされたＡＦ−ＬＥＤ、１９はストロボユニット３０の上部カバーであるＳＴカバー、２０はストロボユニット３０の下部カバーであるＳＴベース、２１はメインコンデンサ、２２はスピーカ、２３はスピーカ保持部、２４は不図示の上部金属カバーとスピーカ保持部２３の密閉を確保するためのスピーカブッシュである。ストロボユニット３０はプリズムパネル６とその内部に不図示のＸｅ管、ゴムブッシュを有した発光部と前記ＳＴカバー１９、ＳＴベース２０、メインコンデンサ２１と不図示のストロボ基板で構成されている。スピーカ２２は図２のように補助光保持部１７、光学ファインダ４、ストロボユニット３０とレンズ鏡筒２で形成された空間に、スピーカ２２の開口面を前記レンズ鏡筒２の光軸方向と前記レンズ鏡筒２のＹ軸方向で作られる平面に略平行、言い換えれば、縦形に配置されている。この構成を詳しく説明するために矢印ＡＡで断面した図３を使用する。
【００２３】
図３において、２５はデジカメ本体の上部金属カバーであるところのＴＯＰカバー、２６は極薄い不図示の両面テープでＴＯＰカバー２５に固定されているＳＵＳ板、２７は弾性体でできたスピーカリング、２８は不図示のビスでＳＴベースに固定されているストロボ基板、２９はストロボ基板２８に実装されたトリガーコイルである。スピーカ２２は先述のように光学ファインダ４、ストロボユニット３０とレンズ鏡筒２で形成された空間、つまり、破線で囲まれた空間Ｂに縦形に配置されている。空間Ｂはレンズ鏡筒２のＲ面２ａによって略三角形となる隅部が形成され、従来であればデッドスペースにしかなり得なかった。例えば、スピーカ２２をＴＯＰカバー２５と平行な横形に配置した場合には、先ず光学ファインダ４とストロボユニット３０の間が狭すぎるためにデジカメ本体の横方向大きくせざる得なく、そのわりにスピーカ背面（開口部と反対の面）にはデッドスペースがさらに増えることとなる。しかしながら、本実施例ではスピーカ２２を縦形に配置し、しかも、スピーカ２２の開口面がレンズ鏡筒２のＹ軸に対して外装カバーに位置している。前記Ｙ軸上に開口面が位置してしまえばデジカメ本体の高さが横形より高くなってしまうが、Ｙ軸からずらすことでレンズ鏡筒のＲ面に沿ってスピーカの位置は下がることとなり背を低くすることができるとともに、従来であれば前記の様なＲ面部には何も配置できずデッドスペースとなっていたことに比べれば、はるかにスペースの有効活用がなしえている。
【００２４】
本実施例ではスピーカ２２は両面に粘着部を有したリング状弾性体のスピーカリング２７によって、スピーカ保持部２３に固定されている。スピーカ保持部２３とＳＵＳ板２６の間には密閉を目的としたスピーカブッシュ２４が挟持されている。スピーカ保持部２３の空間２３ａは上部以外周囲を壁で覆われた密閉空間となっており、スピーカ２２の開口部から発せられた音はスピーカリング２７とスピーカブッシュ２４のパッキン効果によって音漏れすることなくＳＵＳ板２６に設けられた孔２６ａを通過し、ＴＯＰカバー２５に形成されたルーバー１０から外部に伝わる。スピーカの音質は如何に音源からの音を漏らさずに最終開口部であるルーバーに伝えるかが重要である。この意味でＴＯＰカバー２５に形成されたルーバー１０は意匠上の観点から数が多めに開いているが、ＳＵＳ板２６上の孔２６ａは音が漏れないようにスピーカブッシュ２４で形成された開口部（図２中２４ａ）上にのみあり、かつ、意匠上のルーバーと対応した位置に形成されている。スピーカ２２は、さらにＳＴカバー１９のリブ１９ａに設けられた凸部１９ｂによってその背面を押圧されスピーカリング２７をつぶす方向に力が印可されることで、先述の粘着材による固定だけでなく、スピーカブッシュ２４の挟持と同レベルの確実な密閉が得られている。スピーカ２２の開口部前面に設けられた空間２３ａはこのような密閉状態により、反響空間として有効となりスピーカ音質、特に低音域が改善されると共に、従来ではスピーカ開口部とカメラルーバーが近すぎるためにスピーカからの音圧でカメラカバーが振動してしてしまい、俗に言うビビリ音が発生し音質を劣化させていたが、この点も改善された。さらに、従来ではスピーカ開口部がカメラルーバーと正対していたために雨などの水滴が直接スピーカ開口部に入ってしまい、これを防ぐために撥水シートが必要であったが、本実施例ではルーバー１０直下には空間２３ａがあるだけなのでコストアップになる撥水シートが不要となっている。
【００２５】
また、本実施例では光学ファインダ４とストロボユニット３０の間にスピーカ２２が配置されることで、これに対応したルーバー１０がデジカメ本体上面の略中央に位置することになる。これにより、操作者がデジカメを持ったときに前記ルーバー１０を手で覆う可能性ははるかに少なくなった。つまり、操作者の持ち方によっては従来の端にルーバーがあった場合には手で覆ってしまう場合があり、音が聞き取りにくいと言う不具合があったが本発明では操作者にルーバーをふさがない持ち方を意識させる必要がない、自由に持っても満足な音が聞こえるデジカメとなっている。
【００２６】
ストロボ基板２８上のトリガーコイル２９にはトリガー出力ピン２９ａが具備されており、ストロボ発光時には約４Ｋｖの電圧が発生する。空気の絶縁性は１Ｋｖで１ｍｍと通常言われているためトリガー出力ピン２９ａの周囲４ｍｍ以内に導電性のある部品を配置してしまうと、トリガーリークが発生しストロボ発光せずという重大な不具合となってしまう。本実施例においてはスピーカ２２背面の金属ケースとトリガーコイル２９がこれに相当する。しかしながら、近年のデジカメは常に小型化を求められており、安易にトリガー出力ピン２９ａの周囲に絶縁用の空間を形成することはできない。このため、従来では通常ポリプロピレンなどの樹脂材でできたトリガーキャップでトリガーコイル全体を覆うことで、必要な絶縁性を確保し、トリガーコイル周囲に部品を配置していた。ところが、トリガーキャップを被せるためにストロボ基板上では他の電気回路部品の配置が制約され、ひいては基板外形を大きくする必要があり、さらにはトリガーキャップ分のコストアップとなってしまった。そこで、本実施例ではスピーカ２２の背面を覆うようにＳＴカバー１９からリブ１９ａを設けるようにした。十分な大きさのリブにより、絶縁に必要な沿面距離が確保できトリガーキャップを用意する必要がなくなった。また、先述のようにリブ１９ａはスピーカ２２の密閉にも寄与しており、カメラを大型化せずにトリガーコイルの絶縁と良好な音質のスピーカという２つの改善効果が得られるようになった。
【図面の簡単な説明】
【００２７】
【図１】実施例概略正面図
【図２】実施例概略斜視図
【図３】実施例概略断面図
【符号の説明】
【００２８】
１  デジカメ本体
２  レンズ鏡筒
３  レンズバリア
４  光学ファインダ
５  ＡＦ補助光窓
６  プリズムパネル
７  バリアストッパー
８  マイク孔
９  リモコン受信窓
１０  ルーバー
１１  シャッターボタン
１２  モードダイヤル
１３  ズームボタン
１４  アイピースリング
１５  ジャックカバー
１６  指標
１７  補助光保持部
１８  ＡＦ−ＬＥＤ
１９  ＳＴカバー
２０  ＳＴベース
２１  メインコンデンサ
２２  スピーカ
２３  スピーカ保持部
２４  スピーカブッシュ
２５  ＴＯＰカバー
２６  ＳＵＳ板
２７  スピーカリング
２８  ストロボ基板
２９  トリガーコイル
３０  ストロボユニット
【図１】
2005311844.tif 000003
【図２】
2005311844.tif 000004
【図３】
2005311844.tif 000005